(57)【要約】      （修正有）【課題】マンホールの固有情報を表面に表示するようにした簡易印刷物より成る表示を有するマンホール蓋を提供する。【解決手段】マンホールの固有情報を蓋本体の表面に表示するようにしたマンホール蓋について、周囲が凸部１３で囲まれた形態を有する凹部１４から成り、蓋本体１１の表面に設けられる表示部１２と、家庭用プリンターを用いて固有情報の表示を印刷した簡易印刷物から成る表示片２０と、表示部の凹部に上記表示片を配置し、その表示片の表面を覆って上記凹部に充填され、上記表示を透視可能な紫外線遮断効果を有する樹脂から成る保護手段とを具備した構成とする。【選択図】図１
0003188823.tif 000002
【実用新案登録請求の範囲】
【請求項１】
マンホールの固有情報を蓋本体の表面に表示するようにしたマンホール蓋であって、
周囲が凸部で囲まれた形態を有する凹部から成り、蓋本体の表面に設けられる表示部と、
家庭用プリンターを用いて固有情報の表示を印刷した簡易印刷物から成る表示片と、
表示部の凹部に上記表示片を配置し、その表示片の表面を覆って上記凹部に充填され、上記表示を透視可能な紫外線遮断効果を有する樹脂から成る保護手段とを具備した
簡易印刷物より成る表示を有するマンホール蓋。
【請求項２】
マンホールの固有情報を蓋本体の表面に表示するようにしたマンホール蓋であって、
周囲が凸部で囲まれた形態を有する凹部から成り、蓋本体の表面に設けられる表示部と
家庭用プリンターを用いて固有情報の表示を印刷した簡易印刷物から成る表示片と、
表示部の凹部に上記表示片を配置し、その表示片の表面を覆って上記凹部に充填され、上記表示を透視可能な紫外線遮断効果を有する樹脂から成る保護手段と、
上記表示部を蓋本体に機械的に取り付けるための取り付け手段とを具備した
簡易印刷物より成る表示を有するマンホール蓋。
【請求項３】
表示片の表面は、取り付け部の窪み部を囲む突枠部から６〜４ｍｍ下がった位置にある
請求項１又は２記載の簡易印刷物より成る表示を有するマンホール蓋。
【請求項４】
表示片を支持板に接着し、上記支持板を表示用凹部に固定した
請求項１又は２記載の簡易印刷物より成る表示を有するマンホール蓋。
【考案の詳細な説明】
【技術分野】
【０００１】
本考案は、マンホールの固有情報を表面に表示するようにした簡易印刷物より成る表示を有するマンホール蓋に関するものである。
【背景技術】
【０００２】
マンホールの多くは自治体、電気、ガス、水道等の公共事業体等によって設置されるとともに管理されており、そのためマンホール蓋の表面には管理者を示す表示を設けたものが見受けられる。表示の内容は様々な自治体の紋章等であるとか事業体の標章等の固有情報であり、上記紋章等は一般的にマンホール蓋の中央に鋳出しによって設けられている。それと共に、マンホール蓋の表面には様々な滑り止めの模様が設けられるが、仮に模様が同じであっても都市が異なれば紋章が異なるから各都市専用の製品を生産しなければならない。
【０００３】
従って、マンホール蓋は必然的に受注後の生産となり製品納入までに時間を要し、生産効率が良くないという問題を内蔵している。また、短期納入を実現するには都市毎に在庫を持たなければならないが、時には在庫があっても模様が変更されていることもあり、そのときには販売できないため処分を余儀なくされるという不経済な事態も起こり得る。さらに、マンホール蓋は１枚だけの注文もあり、その都度少量生産することもあるので、生産効率を改善しようにも方法が極めて限られている。これらは、鋳造によって製造される商品に不可避の問題であり、宿命的な問題であるともいえる。
【０００４】
これに対し、特開平１０−１７６３６８号には、蓋本体表面の窪みに小片を貼り付け、小片の表面に形成したマーク等位置決め突起を設ける構成が開示されている。また、特開２０１０−８４４０７号には情報表示プレートを蓋本体の窪み部に嵌め込んで固定する構成が開示されている。しかし、これらの小片表面のマーク、情報表示プレートプレート等は何れも成形技術によって形成されており、それらを製造すること自体に手間も経費も掛かり、変更にも簡単には応じることができない。一方、実用新案登録第３０２６４１３号では印刷物や写真等から成るデザイン本体をマンホールの蓋に設けているが、その目的は斬新な装飾的興趣を付与するためである。
【０００５】
上記の印刷物については耐久性等の問題がある。例えば、手軽な家庭用インクジェットプリンターを用いると、印刷物を簡易かつ安価に作成することができて便利であるが、そうした簡易印刷物を屋外で使用すると紫外線等の影響により退色したり、劣化したりして１〜２年程度で使用に耐えなくなる。そのため、屋外用印刷物では印刷用紙として耐久性の高い塩化ビニル製シート素材を用い、インクも紫外線吸収剤を混合した特殊インクを用いるなどの対策が必要である。さらに、印刷面はＵＶラミネート加工により紫外線対策を施すため、価格の高い商用印刷に依存しなければ実施できず、コストも時間も掛かってしまうという問題が起こる。
【特許文献１】特開平１０−１７６３６８号
【特許文献２】特開２０１０−８４４０７号
【特許文献３】実用新案登録第３０２６４１３号
【考案の開示】
【考案が解決しようとする課題】
【０００６】
本考案は前記の実情に鑑みなされたもので、その課題は、１３ことにある。また、本考案の他の課題は、簡易印刷物から成る表示片をカラー印刷により形成することで、マンホール蓋の美観を向上することにある。
【課題を解決するための手段】
【０００７】
前記の課題を解決するため、本考案は、マンホールの固有情報を蓋本体の表面に表示するようにしたマンホール蓋として、周囲が凸部で囲まれた形態を有する凹部から成り、蓋本体の表面に設けられる表示部と、家庭用プリンターを用いて固有情報の表示を印刷した簡易印刷物から成る表示片と、表示部の凹部に上記簡易印刷物を配置し、その簡易印刷物の表面を覆って上記凹部に充填され、上記表示を透視可能な紫外線遮断効果を有する樹脂から成る保護手段とを具備して構成するという手段を講じたものである。
【０００８】
本考案の特徴は、表示片として、家庭用プリンターを用いて固有情報の表示を印刷した簡易印刷物から成るものを用いる点にあり、ここで簡易印刷物とは、家庭用プリンターで印刷された印刷物を指す。また、家庭用プリンターとは、前述の商用印刷等の印刷会社では使用されない、手軽なプリンターを意味している。家庭用プリンターにも各種あるが、インクジェットプリンター等は印刷が容易であるとともに、バラエティに富んだ印刷が容易に可能であり、印刷に要する時間及びコストが掛かないという利点がある。また、印刷場所を選ばず、施工現場でも印刷可能であるから、表示部の設置や補修を自由に実施することが可能になる。
【０００９】
従って、家庭用プリンターを用いて印刷した簡易印刷物は多品種、少量生産に向いており、本考案の目的にも適していることは誰にも了解される。しかしながら、耐久性の問題が残るので、本考案では紫外線遮断効果を有し、かつ、上記表示を透視可能な樹脂により簡易印刷物の表面を覆うことによってこの問題を解決する。表示部について、周囲が凸部で囲まれた形態を有する凹部を有する必要があるのは樹脂の充填のためである。
【００１０】
表示部を蓋本体に固定する方法については、表示部を、取り付け部材を用いて蓋本体へ機械的に取り付ける方法と、蓋本体の表面に接着するという方法の二種がある。請求項１は機械的に取り付ける方法と、蓋本体の表面に接着する方法の両方を含んでおり、これに対して請求項２は取り付け手段を用いて蓋本体へ機械的に取り付ける方法を特定するものである。
【００１１】
また、表示部を接着する方法については、簡易印刷物を支持板に接着し、上記支持板を表示用凹部に固定する方法が有効である。蓋本体の表面には凹凸があり簡易印刷物の紙片を綺麗に貼ることは困難である。しかし、簡易印刷物を支持板に接着する構成を取ることにより、簡易印刷物をその平坦性を保って蓋本体の表面に設置することができる。
【００１２】
本考案の装置として、簡易印刷物の表面は、取り付け部の窪み部を囲む突枠部から６〜４ｍｍ下がった位置にある構成は、好ましいものである。その理由は、蓋本体に形成されている、代表的な滑り止めの表面模様として、例えば、東京都下水道設計標準では、蓋本体表面（最上位の面）から概ね６ｍｍの深さに底面があり、表面模様は３ｍｍ摩耗したときを交換時期とすると記載されていることが挙げられる。即ち、蓋本体の使用限界の−３ｍｍになっても、表示片位置（−４ｍｍ）が摩耗時の蓋本体表面よりも高くなることがなく、印刷面が摩滅することはないのである。また、日本下水道協会発行「下水道マンホールふたの維持管理マニュアル（案）」では、表面模様の深さが変わっても、マンホール蓋の滑り止め効果を維持する摩耗の限界は−３ｍｍ程度が蓋本体の使用限界と記載されているので、マンホール蓋の上面より−４ｍｍを最適とすることには有意性がある。
【考案の効果】
【００１３】
本考案は以上のように構成されており、かつ、作用するものであるから、都市の紋章等のように、管理主体毎に異なる固有情報の表示として、印刷した簡易印刷物から成る表示片を、紫外線対策を施して使用し、マンホール蓋は表示片を取り付ける前の中間製品としてあらかじめ生産しておくことを可能とし、それによって生産効率の著しい向上を図ることができるという効果を奏する。また、本考案によれば、簡易印刷物から成る表示片をカラー印刷により形成することでマンホール蓋の美観が著しく向上可能であり、しかもその効果を著しく容易に得ることができる。最近の都市の紋章は、平成１１年から始まった「平成の大合併」により新たな自治体が生まれたことに伴って、多くの都市で紋章が一新されている。新たな紋章は、多色（カラー）を用いてデザイン処理されているものも多く、カラー紋章部のみ着色樹脂を充填してマンホール蓋を製作することもある。このため、製作に手間がかかっていたが、本考案によればカラー化による多様なデザインにも容易に対応することができ、実用上の効果が顕著である。
【考案を実施するための最良の形態】
【００１４】
以下図示の実施形態を参照して本考案をより詳細に説明する。図１は本考案に係る簡易印刷物より成る表示を有するマンホール蓋１０の例１を示しており、マンホール蓋１０は円形の蓋本体１１より成り、その蓋本体１１の中心部分に表示部１２が設けられている。表示部１２は周囲が凸部１３で囲まれた凹部１４から成る形態を有する部分であり、凸部１３は六角形の突条として図示され、凹部１４に表示片２０が設けられている。
【００１５】
例１の表示部１２は、蓋本体１１とは別の部材から成り、蓋本体１１の表面に形成された取り付け部１５に設けられている（図２参照）。取り付け部１５は、表示部１２と同様突枠部１６で囲まれた窪み部１７の形態を有しており、その形態から理解されるように、取り付け部１５は、蓋本体表面の滑り止め模様１８とともに、鋳出しによって設けられている（図３参照）。上記表示部１２はプラスチックを用いて、射出成型手段により全体が一体構造物として成形される。
【００１６】
表示片２０は、家庭用プリンターを用いて固有情報の表示を印刷した簡易印刷物から成るもので、具体的には、印刷用紙として市販の用紙から成る紙片１９を使用し、その表面に印刷によりインク層２１を形成した構造である（図４参照）。印刷用紙には、市販のものの中でも屋外対応品を用いることとする。しかし、家庭用プリンターに使用可能な印刷インクは限られているので、紫外線遮断効果を有する樹脂を用いて保護手段２２とし、退色を抑制する対策を取っている（図６、図７参照）。
【００１７】
実施形態では、表示部１２の凹部１４に上記簡易印刷物から成る表示片２０を接着し、上記表示片２０の表示を透視可能な紫外線遮断効果を有する樹脂から成る保護手段２２を用い、これを上記凹部１４に充填し表示片２０の表面を覆うという構成を取っている（図６に図示した斜線は保護手段２２を示す。）。紫外線遮断効果を有する樹脂としては、例えば、非黄変型ポリウレタン樹脂、変性エポキシ樹脂等があり、本考案ではそのどちらも使用可能である。退色抑制対策を講じない場合には、使用環境によっては数年程度で退色し実用に堪えなくなる可能性がある一方、マンホール蓋の耐用年数は車道部で１５年とされている。本考案によれば、紫外線遮断効果を有する樹脂を充填することで、１５年の耐用年数を満たすことが可能である。
【００１８】
上記表示片２０は表示部１２の凹部１４に固定した状態において、その上面が、蓋本体１１の上面１１ａ（突枠部１６と同高）よりも数ミリメートル下がった安全位置に配置される（図９参照）。上記の「数ミリメートル」Ｄは約３ｍｍ、望ましくは約４ｍｍ、凹部１４の底面から表示片表面までの厚さｄは同じく約３ｍｍ、望ましくは約２ｍｍとする。蓋本体１１に形成されている代表的な滑り止めの表面模様として東京都下水道設計標準では、蓋本体表面（最上位の面）から概ね６ｍｍの深さに底面があり、この実施形態における表示片配置面である窪み部１７の底面１７ａも深さ約６ｍｍの位置と規定されている。故に、表面模様は３ｍｍ摩耗したときが交換時期となっているから、蓋本体の使用限界の−３ｍｍになっても摩耗時の蓋本体表面よりも高くならない位置（−４ｍｍ）が、表示片２０を配置する安全位置となる。なお、保護手段２２の樹脂は表示片２０のインク層２１を僅かに覆う程度に充填すれば良いが、充填高さを安定させるために蓋本体表面（最上位の面）まで充填しても良い。
【００１９】
ここで、表示片２０を蓋本体１１に取り付ける方法に言及すると、接着剤を用いて取り付ける場合、大きな面積で平滑な面に接着するときには強い接着力を発揮するが、鋳肌表面の梨地状凸部に接着するときには付着力が小さく剥離し易い。そこで、本考案では表示部１２の凹部１４を表面が平坦な板材としてそこに表示片２０を貼り付け、十分な接着強度を持たせるとともに、表示部１２を後述する取り付け手段２４により蓋本体１１に取り付けているものである。取り付け手段２４を用いることなく、接着剤を用いて表示部１２を梨地状の鉄蓋表面に直接接着することも可能であるが、その方法については、例２により説明する。
【００２０】
上述したように、実施形態の例１では、上記表示部１２を蓋本体１１に機械的に取り付けるための取り付け手段２４を具備する。上記取り付け手段２４は、板状の表示部１２の下面に丁字交差状に伸びる軸部２５を有し、軸部２５は蓋本体１１を貫通した取り付け孔２６に嵌合する係合手段を構成している。即ち、軸部２５は表示部下面と蓋本体側との間にパッキング２７を介在させた固定状態で蓋本体１１の裏面に突出する長さを有する。また、その裏面に突出する軸部２５には、半径方向外方に突出する突形状の嵌合手段２８として鍔が多重に設けられている。
【００２１】
上記パッキング２７は、表示部１２と表示片配置面である窪み部１７の底面１７ａとの間に設けられている（図３、図５、図８参照）。表示部１２を取り付け手段２４により取り付け孔２６に嵌合し、その嵌合手段２８と共に固定力を得るために、弾力性を有する材料から成るパッキング２７を利用する趣旨である。六角形の表示部１２の下面には、等間隔で３箇所放射状に形成された凹溝部２９ａが設けてあり、パッキング２７は、上記凹溝部２９ａに嵌合する３個の放射状凸片部２９ｂを有し、また、凸片部２９ｂは凹溝部２９ａよりもやや肉厚く形成されている。パッキング２７は防水効果を持ち、表示部１２の周囲から雨水が取付け孔２６を通じてマンホール内に漏れて浸入するのを防止することができる。更に、パッキング２７として両面テープの様な接着効果を持つ材料で作ることで、取り付け手段２４の補強を行うことも可能になる。
【００２２】
例１の簡易印刷物より成る表示を有するマンホール蓋１０は、上記のように構成されており、家庭用プリンターを用いて固有情報の表示を印刷した簡易印刷物である表示片２０を表示部１２の凹部１４に接着し、この表示部１２を表示片配置面である窪み部１７の底面１７ａに接着することにより形成することができる（図６、図７参照）。完成したマンホール蓋１０は、その表面中央部に、管理主体を示す固有情報の表示片２０が設けられており、その表示片２０は、家庭用プリンターを用いて固有情報の表示を印刷した簡易印刷物から成るものであるので、任意の形状、模様、色彩若しくはこれらの結合から成る図柄を表現することができる。
【００２３】
例１において、簡易印刷物が劣化した表示部１２を交換する場合、マンホール蓋の敷設現場での作業も可能である。その場合、軸部２５を蓋本体１１の裏面からたたいて表示部１２を取り外し、鋳造工場にて家庭用プリンターを用いて印刷した新しい簡易印刷物を表示部１２に貼り付け、保護手段２２を充填・硬化させてある表示部１２を取り付け孔２６に嵌合すれば良い。従って、作業は非常に容易である。なお、機械的取り付け手段２４として嵌合手段２８を例示したが、軸部２５をオネジ構造とし、蓋本体１１の裏面からナットを用いて螺合させる方式を取ることも可能である。
【００２４】
次に、表示部１２を蓋本体１１の表面に接着する例２を示す（図１０参照）。例２では前記例１と同様の表示片２０を使用するが、これを、図９に示したものと同様の厚さｄを有する板材２３に貼り付け、表示片配置面である蓋本体表面の凹部１７の底面１７ａに、その板材２３を、接着手段３０を用いて接着している。表示片２０は、これを包み込むように充填された表示片固定手段でもある保護手段２２の樹脂によって固定されている。例２の場合、表示片２０はマンホール蓋１０の表示片配置面である窪み部１７の底面１７ａに接着され、接着時に窪み部１７の底面１７ａから浮かないように設けられている。
【００２５】
上記例２の場合、表面が平坦な板材２３に表示片２０を貼り付けているので、十分な付着強度を持たせることができる。また、板材２３と梨地状の鉄蓋表面との接着には、接着手段３０として各種の液状接着材等を自由に選択できるので、強固な固定が可能である。また、表示部１２を交換する際には、ドライバー等の工具を用いて表示片２０の周囲をこじって剥離することができるが、剥離が困難な場合には表示部１２を、バーナー等を用いて加熱することで樹脂や接着剤を軟化させて行う。なお、例１の構成を取る場合、表示部１２の交換工事には一端マンホール蓋１１を開いて行なう必要があるが、例２の構成によれば、蓋本体１１の表面に対する作業だけで全ての工程を完了することができるので、有効性が高い。
【００２６】
このように構成されている本考案によれば、都市毎に紋章が異なるため、従来は、同じ滑り止め模様のマンホール鉄蓋でも流用が不可能であった問題が解決される。即ち、同じ滑り止め模様のマンホール蓋１０であれば中間製品としてあらかじめ大量に鋳造し、保管しておくことが可能になり、製造効率を著しく高めることができる。また、自治体の紋章等をカラー印刷することも可能になり、従来は殆ど黒一色であったマンホール蓋の美観を向上することができる。
【図面の簡単な説明】
【００２７】
【図１】本考案に係る簡易印刷物より成る表示を有するマンホール蓋の例１を示す平面図である。
【図２】同上マンホール蓋に設ける表示部の一例を示す斜視図である。
【図３】同上マンホール蓋と表示部を分解して示す断面図である。
【図４】同じく表示片の一例を示すもので、Ａは平面図、Ｂは側面図である。
【図５】同じく表示部の一例を示すもので、Ａは平面図、Ｂは側面図である。
【図６】同じくマンホール蓋に表示部を取り付けた状態を示す平面図である。
【図７】同じく図６のＶＩＩ−ＶＩＩ線断面図である。
【図８】同じくパッキングを示すもので、Ａは平面図、Ｂは側面図である。
【図９】同じく本考案の要部を拡大して示す断面説明図である。
【図１０】同じく本考案の例２を示す断面図である。
【符号の説明】
【００２８】
１０  マンホール蓋
１１  蓋本体
１２  表示部
１３  凸部
１４  凹部
１５  取り付け部
１６  突枠部
１７  窪み部
１８  滑り止め模様
１９  紙片
２０  表示片
２１  インク層
２２  保護手段
２３  板材
２４  取り付け部材
２５  軸部
２６  取り付け孔
２７  パッキング
２８  嵌合手段
２９ａ  凹溝部、２９ｂ  凸片部
３０  接着手段  
【図１】
0003188823.tif 000003
【図２】
0003188823.tif 000004
【図３】
0003188823.tif 000005
【図４】
0003188823.tif 000006
【図５】
0003188823.tif 000007
【図６】
0003188823.tif 000008
【図７】
0003188823.tif 000009
【図８】
0003188823.tif 000010
【図９】
0003188823.tif 000011
【図１０】
0003188823.tif 000012
【手続補正書】
【提出日】平成25年12月6日(2013.12.6)
【手続補正１】
【補正対象書類名】図面
【補正対象項目名】図１
【補正方法】変更
【補正の内容】
【図１】
0003188823.tif 000013
【手続補正２】
【補正対象書類名】図面
【補正対象項目名】図４
【補正方法】変更
【補正の内容】
【図４】
0003188823.tif 000014
【手続補正３】
【補正対象書類名】図面
【補正対象項目名】図６
【補正方法】変更
【補正の内容】
【図６】
0003188823.tif 000015